(57)【要約】【課題】  シート状の被記録媒体を確実に搬送することができ、かつ、紙詰まりによるジャム処理を容易に行えることができるシート搬送装置、及びこれを備えた画像形成装置を提供する。【解決手段】  本発明は、駆動ローラと該駆動ローラと従動する従動ローラの間でシート状の用紙を挟持して搬送方向に送り出すシート搬送装置であって、従動ローラを回転可能に支持する軸と、駆動ローラに対して従動ローラの位置を変位させるガイド部材と、従動ローラを駆動ローラに押圧させる付勢部材と、を備え、軸は、切欠部を備え、切欠部の断面形状は、用紙搬送方向上流側に第１の平坦部と、第１の平坦部に繋がる円弧部とを有し、ガイド部材は、切欠部を挿通し、摺動可能に支持するガイド孔を有し、ガイド孔の摺動面は、駆動ローラと従動ローラの回転中心を結ぶ仮想線に対して搬送方向下流側に傾斜して設けられていることを特徴とする。【選択図】  図１
2014201387.tif 000002
【特許請求の範囲】
【請求項１】
駆動ローラと該駆動ローラと従動する従動ローラの間でシート状の用紙を挟持して搬送方向に送り出すシート搬送装置であって、
前記従動ローラを回転可能に支持する軸と、
前記駆動ローラに対して前記従動ローラの位置を変位させるガイド部材と、
前記従動ローラを前記駆動ローラに押圧させる付勢部材と、を備え、
前記軸は、切欠部を備え、
前記切欠部の断面形状は、用紙搬送方向上流側に第１の平坦部と、前記第１の平坦部に繋がる円弧部とを有し、
前記ガイド部材は、前記切欠部を挿通し、摺動可能に支持するガイド孔を有し、
前記ガイド孔の摺動面は、前記駆動ローラと前記従動ローラの回転中心を結ぶ仮想線に対して搬送方向下流側に傾斜して設けられていることを特徴とするシート搬送装置。
【請求項２】
前記切欠部の断面形状は、搬送方向下流側に設けられた第２の平坦部を有し、
前記円弧部は、前記第１の平坦部と前記第２の平坦部の間であり、前記駆動ローラ側に設けられていることを特徴とする請求項２に記載のシート搬送装置。
【請求項３】
前記第２の平坦部と前記円弧部の接続点は、前記切欠部の摺動方向と直交し、切欠部の第１の平坦部の中点を通る仮想軸から前記駆動ローラ側と反対側に位置することを特徴とする請求項２に記載のシート搬送装置。
【請求項４】
前記付勢部材は、前記ガイド孔の摺動面と平行方向に付勢力が働くように設置されていることを特徴とする請求項１から請求項３のいずれかに記載のシート搬送装置。
【請求項５】
請求項１から請求項４のいずれかに記載されたシート搬送装置を備える画像形成装置。
【発明の詳細な説明】
【技術分野】
【０００１】
本発明は、シート状の被記録媒体を搬送するシート搬送装置に関し、特に、駆動ローラと該駆動ローラに圧接する従動ローラとによってシート状の被記録媒体が搬送されるよう構成されたシート搬送装置、及びこれを備えた画像形成装置に関する。
【背景技術】
【０００２】
従来、複写機やプリンタ等の画像形成装置には、シート状の被記録媒体である用紙を搬送するためのシート搬送装置が内蔵されている。
【０００３】
図７は、特許文献１に記載されているシート搬送装置の構成を示す斜視図である。シート搬送装置は、駆動系により駆動される駆動ローラ１００と、この駆動ローラ１００に圧接され、駆動ローラ１００とのニップ圧により従動される従動ローラ１０１とからなる。
【０００４】
従動ローラ１０１は、駆動ローラ１００の略中央に圧接され、その長さが用紙の横方向の幅に略一致している。従動ローラ１０１は、筒状体でその内周面には回転軸１０２が嵌め入れられている。回転軸１０２の両端は、それぞれ筒状の軸受１０３に嵌め入れられて回転自在に支持されている。各軸受１０３は、図示しない外装を形成する搬送ベースに立設された断面形状Ｌ字型形状の保持部材１０４によりそれぞれ保持されている。
【０００５】
図８は、従動ローラ１０１の保持構造を示す概略側面図である。軸受１０３の外周面には、回転軸１０２と連れ回りを防止するための直線部１０５が設けられている。保持部材１０４は、軸受１０３を挿通して支持するための支持孔１０６を有している。この支持孔１０６は、軸受１０３の直線部１０５に対向する一対の平坦面１０７を有している。この支持孔１０６の平坦面１０７は、軸受１０３の直線部１０５よりも長く、軸受１０３は支持孔１０６内で平坦面１０７に沿って摺動可能に支持される。
【０００６】
搬送ベース１０８と軸受１０３の外周面の間には、付勢部材として圧縮コイルばね１０９が圧縮されて取り付けられていて、軸受１０３が付勢されることにより従動ローラ１０１は駆動ローラ１００に押圧されている。圧縮コイルばね１０９は、その付勢力が従動ローラ１０１と駆動ローラ１００が並ぶ方向に沿って作用するように、この方向と圧縮コイルばね１０９の軸方向とが平行になるように配置されている。
【先行技術文献】
【特許文献】
【０００７】
【特許文献１】特開２００２−４６８８７
【発明の概要】
【発明が解決しようとする課題】
【０００８】
しかしながら、特許文献１に記載のシート搬送装置において、駆動ローラ１００と従動ローラ１０１の間で紙詰まりが発生すると用紙の取り外しが厄介となる課題があった。
【０００９】
駆動ローラ１００が停止した状態で、駆動ローラ１００と従動ローラ１０１の間に挟持された用紙Ｐを搬送方向Ａの方向に引き出そうとすると、用紙Ｐとともに従動ローラ１０１が引き上げられて回転軸１０２と軸受１０３との接触面１１０で摩擦力が大きくなり、従動ローラ１０１も回転することができなくなる。この状態で用紙Ｐをさらに引き上げると、軸受１０３のエッジ１１１が保持部材１０４の支持孔１０６に食い込んで平坦面１０７に沿って摺動できなくなり、従動ローラ１０１及び駆動ローラ１００の表面摩擦に抗って引き出されることになり、用紙Ｐの破損や、破損した用紙Ｐを取りだすためにシート搬送装置の分解が必要となる問題があった。
【００１０】
本発明は、上記事情に鑑みてなされたものであり、その目的とするところは、シート状の被記録媒体を確実に搬送することができ、かつ、紙詰まりによるジャム処理を容易に行えることができるシート搬送装置、及びこれを備えた画像形成装置を提供することにある。
【課題を解決するための手段】
【００１１】
本発明に係るシート搬送装置は、駆動ローラと該駆動ローラと従動する従動ローラの間でシート状の用紙を挟持して搬送方向に送り出すシート搬送装置であって、従動ローラを回転可能に支持する軸と、駆動ローラに対して従動ローラの位置を変位させるガイド部材と、従動ローラを駆動ローラに押圧させる付勢部材と、を備え、軸は、切欠部を備え、切欠部の断面形状は、用紙搬送方向上流側に第１の平坦部と、第１の平坦部に繋がる円弧部とを有し、ガイド部材は、切欠部を挿通し、摺動可能に支持するガイド孔を有し、ガイド孔の摺動面は、駆動ローラと従動ローラの回転中心を結ぶ仮想線に対して搬送方向下流側に傾斜して設けられていることを特徴とする。
【００１２】
また、本発明に係るシート搬送装置では、切欠部の断面形状が、搬送方向下流側に設けられた第２の平坦部を有し、円弧部は、第１の平坦部と第２の平坦部の間にあって、駆動ローラ側に設けられてもよい。
【００１３】
また、本発明に係るシート搬送装置では、第２の平坦部と円弧部の接続点が、切欠部の摺動方向と直交し、切欠部の第１の平坦部の中点を通る仮想軸から駆動ローラ側と反対側に位置してもよい。
【００１４】
また、本発明に係るシート搬送装置では、付勢部材は、ガイド孔の摺動面と平行方向に付勢力が働くように設置されていてもよい。
【００１５】
また、本発明に係る画像形成装置は、本発明に係るシート搬送装置を備えることを特徴とする。
【発明の効果】
【００１６】
本発明に係るシート搬送装置は、部材間の摩擦を軽減し、シート搬送装置内で生じた紙詰まりを容易に処理できる効果がある。
【図面の簡単な説明】
【００１７】
【図１】本発明の実施形態１に係るシート搬送装置の概略構成図である。
【図２】図１に示すシート搬送装置の従動ローラの保持構造を示す正面断面図である。
【図３】図１に示すシート搬送装置の従動ローラの保持構造を示す側面断面図である。
【図４】図３における切欠部及びガイド部材の詳細を示す拡大図である。
【図５】本発明の実施形態２に係るシート搬送装置の切欠部及びガイド部材の詳細を示す拡大図である。
【図６】本発明の実施形態３に係るシート搬送装置を備えた画像形成装置の概略側面図である。
【図７】従来のシート搬送装置の構成を示す斜視図である。
【図８】図７に示す従来のシート搬送装置の従動ローラの保持構造を示す断面図である。
【発明を実施するための形態】
【００１８】
本発明のシート搬送装置及びシート搬送装置を備えた画像形成装置に係る実施形態について、図を参照しながら以下に説明する。なお、以下の実施形態は本発明が具現化された一例にすぎず、本発明の要旨を変更しない範囲で、実施形態が適宜変更され得ることは勿論である。
【００１９】
〔実施形態１〕
図１は、本発明に実施形態１に係るシート搬送装置の概略構成図を示す。
【００２０】
本発明の実施形態１に係るシート搬送装置は、従動ローラ１と駆動ローラ２からなる一対の搬送ローラ３によって、シート状の被記録媒体である用紙Ｐを挟持して搬送する。なお、以下の説明においては、図中の矢印記号Ａは用紙Ｐの搬送方向を示す。
【００２１】
駆動ローラ２は、内部に駆動ローラ２の軸４が挿通され、この駆動ローラ２の軸４が図示しない駆動手段に連結されて支持されている。
【００２２】
従動ローラ１は、筒状体でその内周面に従動ローラ１の軸５が嵌め入れられている。また、その従動ローラ１の軸５は、シート搬送装置の筺体の内壁６に設けられたガイド部材７に挿通され支持される。また、従動ローラ１は、シート搬送装置の筺体の内壁６と従動ローラ１の軸５の間に付勢部材として設けられた圧縮コイルばね８に付勢されて、駆動ローラ２に押圧されている。
【００２３】
以下、従動ローラ１の保持構造について図面を用いて詳細に説明する。
【００２４】
図２は、図１に示す破線Iで切り取った従動ローラ１の保持構造を示す正面断面図である。図２において、矢印Ａは用紙Ｐの搬送方向を示す。
【００２５】
従動ローラ１は、図２に示すように筒状体でその内周面には従動ローラ１の軸５が挿通され、回転可能に支持される。従動ローラ１の内径は、挿通されている従動ローラ１の軸５の外径よりも大きく設定されている。その従動ローラ１の軸５は、図２に示すように、その一部を切削し形成された断面がＤ形状の切欠部１０を備えている。従動ローラ１の軸５は、図２が示すように、その断面がＤ形状の切欠部１０をガイド部材７のガイド孔１１に挿通することで支持されている。
【００２６】
したがって、従動ローラ１の軸５は、切欠部１０がガイド孔１１に挿通されることで固定され、従動ローラ１の回転によって連れ回らない。
【００２７】
図３は、図１に示す破線IIで切り取った従動ローラ１の保持構造を示す側断面図である。図３において、矢印Ａは図２と同様に用紙Ｐの搬送方向を示す。また、図３において、矢印Ｂは、駆動ローラ２の回転方向を、矢印Ｃは駆動ローラ２によって従動回転する従動ローラ１の回転方向をそれぞれ示す。
【００２８】
さらに、図３に示す仮想線Ｄは、従動ローラ１が駆動ローラ２に押圧されている位置にあるときにおける従動ローラ１と駆動ローラ２の回転中心を結ぶ仮想線である。矢印Ｅは、圧縮コイルばね８が従動ローラ１の軸５を付勢する付勢方向を示す。
【００２９】
ガイド孔１１は、図３に示すように、略長方形の断面形状であり、その平坦面に沿って断面がＤ形状の切欠部１０が摺動でき、従動ローラ１の位置を変位できるよう設けられている。ガイド孔１１の長手方向は、従動ローラ１と駆動ローラ２の回転中心を結ぶ仮想線Ｄに対し、搬送方向Ａ下流側に所定の角度θだけ傾斜している。
【００３０】
圧縮コイルばね８は、ガイド孔１１の長手方向に平行に従動ローラ１の軸５を付勢するようにシート搬送装置の筺体の内壁６に立設されている。
【００３１】
上記の構成をもって、従動ローラ１は従動ローラ１の軸５を連れ回すことなく、回転できるように支持されている。従動ローラ１は、図３に示すように、用紙Ｐ搬送時に矢印Ｂの方向に回転する駆動ローラ２に従動し、矢印Ｃの方向に回転する。
【００３２】
以下、切欠部１０とガイド部材７の構成について詳細に記載する。
【００３３】
図４は、図３における切欠部１０とガイド部材７の詳細を示す拡大図である。
【００３４】
切欠部１０の断面形状は、搬送方向Ａ上流側に平坦部１３と、搬送方向Ａ下流側に円弧部１４を有する。したがって、切欠部１０の平坦部１３は搬送方向Ａ下流側でガイド孔１１の平坦面１５と対向し、切欠部１０の円弧部１４は搬送方向Ａ下流側においてガイド孔１１の平坦面１５と一点で接している。ガイド孔１１の平坦面１５は、切欠部１０の平坦部１３に比べて長く、切欠部１０はガイド孔１１の平坦面１５に沿って摺動可能に支持される。 
【００３５】
以下、上述した構成からなるシート搬送装置において、ユーザーが搬送方向Ａに従動ローラ１と駆動ローラ２の間に詰まった用紙Ｐを引き出そうとする際の効果について説明する。
【００３６】
ユーザーは、駆動ローラ２と従動ローラ１の間で詰まっている用紙Ｐを引き出すには、駆動ローラ２とそれに押圧されている従動ローラ１から用紙Ｐが受ける摩擦力に抗って、用紙Ｐを引き出さなければならない。
【００３７】
ここで、本発明に係る実施形態１のシート搬送装置は、図３に示すように圧縮コイルばね８による付勢方向Ｅが、駆動ローラ２の軸４の中心と従動ローラ１の軸５の中心を結ぶ仮想線Ｄに対し、搬送方向Ａ下流側に所定の角度θだけ傾斜している。そのため、従動ローラ１は、駆動ローラ２との接点で受ける仮想線Ｄ方向の抗力と圧縮コイルばね８による付勢力によって、駆動ローラ２が停止していても矢印Ｃの方向に回転しようとするモーメントを受ける。したがって、従動ローラ１は、ユーザーが用紙Ｐを搬送方向Ａに沿って引き出そうとすると、従来例に比べて回転しやすくなる。
【００３８】
また、図４に示すように、切欠部１０は、搬送方向Ａ下流側に円弧部１４を有している。この切欠部１０の円弧部１４は、ユーザーが用紙Ｐを引き出して、従動ローラ１の軸５が従動ローラ１に連れて引き上げられたとしても、従動ローラ１が回転する回転方向Ｃにガイド孔１１の平坦面１５を転がろうとする。したがって、切欠部１０は、搬送方向Ａ下流側においてガイド孔１１の平坦面１５に食い込むことがなく、ガイド部材７のガイド孔１１内での摺動を妨げられることはない。
【００３９】
そのため、従動ローラ１が駆動ローラ２に対して離れやすくなるので、ユーザーは従来のシート搬送装置に比べ容易に従動ローラ１と駆動ローラ２の間に詰まった用紙Ｐを取り出すことができる。
【００４０】
ここで、切欠部１０は、搬送方向Ａ下流側にある円弧部１４では、食い込みによる負荷が発生しないので、ユーザーが用紙Ｐを引き抜こうとする際に、搬送方向Ａ上流側にある平坦部１３の両端にある切欠部１０のエッジ１６ａ、１６ｂの箇所で負荷が発生する可能性がある。
【００４１】
しかし、切欠部１０の円弧部１４とガイド孔１１の平坦面１５は、一点でしか接しておらず、切欠部１０とガイド孔１１には十分なクリアランスがあるので、駆動ローラ１と反対側にある切欠部１０のエッジ１６ａがガイド孔１１の平坦面１５に食い込むまでの時間は遅延される。そのため、切欠部１０のエッジ１６ａが食い込むことによって生じる負荷は、エッジ１６ａが平坦面１５に食い込む負荷が増大するまでに従動ローラ１が軸５に対して回転し始めるので、ユーザーが用紙Ｐを引き抜く妨げにならない。また、駆動ローラ１側にある切欠部１０のエッジ１６ｂは、切欠部１０が回転し始めるとガイド孔１１の平坦面１５から離れるように移動する。したがって、切欠部１０のエッジ１６ｂとガイド孔１１の平坦面１５では、ユーザーが用紙Ｐを引き抜く妨げになる負荷が生じない。
【００４２】
〔実施形態２〕
本発明の実施形態２に係るシート搬送装置は、実施形態１の構成に対し、切欠部の断面形状のみ異なる。
【００４３】
以下、本発明に係る実施形態２のシート搬送装置の構成について図面を用いて説明する。
【００４４】
図５は、本発明の実施形態２のシート搬送装置における切欠部１７及びガイド部材７の断面図を示す。ただし、図４と同一又は相当部には、同一符号を付し、詳細な説明は省略する。
【００４５】
実施形態２に示すシート搬送装置の切欠部１７の断面形状は、実施形態１と同様に、用紙搬送方向Ａ上流側に第１の平坦部１３ａが設けられ、実施形態１と異なり、用紙搬送方向Ａ下流側に円弧部１４と第２の平坦部１３ｂを設けている。第２の平坦部１３ｂはシート搬送装置の筺体の内壁側に設けられ、円弧部１４は駆動ローラ側に設けられている。また、第２の平坦部１３ｂと円弧部１４の接続点１８は、切欠部１７の摺動方向Ｘと直交し第１の平坦部１３ａの中点を通る仮想軸Ｙに対し、駆動ローラ２側と反対側に設けられている。
【００４６】
上記の構成によれば、切欠部１７の第２の平坦部１３ｂは、従動ローラ１の軸５及び切欠部１７が従動ローラ１に連れ回って回転しようとする場合には、ガイド孔１１の平坦面１５から離れるように摺動する。そのため、第２の平坦部１３ｂと円弧部１４の接続点１８は、ガイド孔１１の平坦面１５に食い込むことはない。したがって、接続点１８では、切欠部１７がガイド孔１１に沿って摺動する際に、負荷が発生しない。
【００４７】
また、切欠部１７は、実施形態１と異なり、上面と下面の両面に平坦部１３ａ、１３ｂをガイド孔１１の平坦面１５に対向するように設けることになるので、ガイド孔１１の長手方向に対して、安定して摺動することができる。
【００４８】
ここで、切欠部１７は、上記のように上面の第２の平坦部と円弧部１４の接続点１８では、食い込みによる負荷が発生しないので、ユーザーが用紙Ｐを引き抜こうとする際に、下面にある第１の平坦部１３の両端にある切欠部１７のエッジ１６ａ、１６ｂの箇所で負荷が発生する可能性がある。
【００４９】
しかし、実施形態１と同様に、切欠部１７とガイド孔１１に十分なクリアランスがあるため、駆動ローラ１と反対側にある切欠部１７のエッジ１６ａがガイド孔１１の平坦面１５に食い込むまでの時間は遅延される。そのため、切欠部１７のエッジ１６ａが食い込むことによって生じる負荷は、切欠部１７のエッジ１６ａが平坦面１５に食い込む負荷が増大するまでに従動ローラ１が軸５に対して回転し始めるので、ユーザーが用紙Ｐを引き抜く妨げにならない。また、駆動ローラ１側にある切欠部１７のエッジ１６ｂは、切欠部１７が回転し始めるとガイド孔１１の平坦面１５から離れるように移動する。したがって、切欠部１７のエッジ１６ｂとガイド孔１１の平坦面１５では、ユーザーが用紙Ｐを引き抜く妨げになる負荷が生じない。
【００５０】
〔実施形態３〕
次に、本発明の実施形態３に係る画像形成装置について説明する。
【００５１】
図６は、本発明の実施の形態に係る画像形成装置２０の概略構成を示す側面図である。
【００５２】
画像形成装置２０は、外部から伝達された画像データに応じて、所定の被記録媒体である用紙Ｐに対して多色及び単色の画像を形成する、例えば、カラー複写機などである。
【００５３】
画像形成装置２０は装置本体内に、給紙部２１、シート搬送経路２２、画像形成部２３、定着部２４、排紙部２５などを備えたものである。
【００５４】
給紙部２１は、給紙トレイ２６、ピックアップローラ２７、給紙ローラ２８などを備えている。上記ピックアップローラ２７が回転すると、上記給紙トレイ２６に積載された用紙の一番上の用紙Ｐが搬送ローラ３に送り込まれる。
【００５５】
シート搬送経路２２は、画像形成経路２２ａ、排紙／反転経路２２ｂ、両面搬送経路２２ｃ、これら経路上に配置される各種ローラなどにより構成される。画像形成経路２２ａには、搬送ローラ３、レジストローラ２９、二次転写ローラ３０、定着部２４などが設けられている。
【００５６】
給紙ローラ２８によって取り出された用紙Ｐは、その下流に位置する搬送ローラ３を通り、レジストローラ２９の箇所で一旦待機され、画像形成のタイミングに合わせてレジストローラ２９によって二次転写ローラ３０へと搬送される。
【００５７】
二次転写ローラ３０へ搬送された用紙Ｐは、画像形成部２３によって画像が転写される。画像形成部２３は、イエロー色用の画像形成ユニット３１ａと、マゼンダ色用の画像形成ユニット３１ｂと、シアン色用の画像形成ユニット３１ｃと、ブラック用の画像形成ユニット３１ｄと、中間転写ベルト３２と、二次転写ローラ３０とを備えている。例えば、前記画像形成ユニット３１は、感光体ドラム３３、その周囲に配置された図示していない帯電装置、露光装置、現像装置、一次転写ローラ、及び清掃装置等を備えている。
【００５８】
上記各色の各画像形成ユニット３１ａ、ｂ、ｃ、ｄの感光体ドラム３３に形成されたトナー画像が中間転写ベルト３２上に順々に一次転写されて、中間転写ベルト３２の上にはフルカラーのトナー画像が形成される。中間転写ベルト３２と二次転写ローラ３０との間を用紙Ｐが通過するときに、中間転写ベルト３２上のトナー画像が用紙Ｐの片側の面に転写される。
【００５９】
画像が転写された用紙Ｐは、次に定着部２４へと搬送される。定着部２４は、例えば、熱源を有する加熱定着ローラ３４と、この加熱定着ローラ３４に接する加圧ローラ３５とからなり、両ローラ間を通過するトナー画像が形成された用紙Ｐを加熱・加圧し、用紙Ｐに転写されたトナー画像を用紙Ｐに定着させる。この定着処理がなされた用紙Ｐは排紙反転径路２２ｂに搬送される。
【００６０】
排紙／反転経路２２ｂには、排紙ローラ３６及び反転ローラ３７が設けられている。片面印刷の場合、画像形成経路２２ａを通過した用紙Ｐは、排紙／反転経路２２ｂに導かれ、排紙ローラ３６が順方向回転することで排紙部２５へ排紙される。一方、両面印刷の場合、画像形成経路２２ａを通過した片面印刷済の用紙Ｐは、切替爪３８によって反転ローラ３７側へ導かれ、この反転ローラ３７が順方向回転の後に逆方向回転することで、後端であった用紙端が先端となって両面搬送経路２２ｃへと導かれる。
【００６１】
両面搬送経路２２ｃへと導かれた用紙Ｐは、両面搬送経路２２ｃに沿って複数箇所に設けられている搬送ローラ３によって搬送され、再び画像形成経路２２ａへと導かれる。
【００６２】
実施形態１及び実施形態２に記載のシート搬送装置は、搬送経路に設けられた各種搬送ローラ３及び二次転写ローラ３０、レジストローラ２９、排紙ローラ３６、反転ローラ３７のどこに設けてもよい。
【００６３】
搬送経路が位置する装置外側には、開閉カバー３９が設けられている。この開閉カバー３９が開けられることで、上述した搬送経路が露出する。ユーザーは、この開閉カバー３９を開けることで、シート搬送経路２２内で紙詰まりを起こした用紙Ｐを取り除くことが可能になる。
【符号の説明】
【００６４】
１      従動ローラ
２      駆動ローラ
３      搬送ローラ
４      駆動ローラの軸
５      従動ローラの軸
６      シート搬送装置の筺体の内壁
７      ガイド部材
８      圧縮コイルばね
１０    切欠部
１１    ガイド孔
１３    切欠部の平坦部
１４    切欠部の円弧部
１５    ガイド孔の平坦面
１６    切欠部のエッジ
１７    切欠部
１８    接続点
２０    画像形成装置
２１    給紙部
２２    シート搬送経路
２３    画像形成部
２４    定着部
２５    排紙部
２６    給紙トレイ
２７    ピックアップローラ
２８    給紙ローラ
２９    レジストローラ
３０    二次転写ローラ
３１    画像形成ユニット
３２    中間転写ベルト
３３    感光体ドラム
３４    加熱定着ローラ
３５    加圧ローラ
３６    排紙ローラ
３７    反転ローラ
３８    切替爪
３９    開閉カバー
１００  駆動ローラ
１０１  従動ローラ
１０３  軸受
１０４  保持部材
１０５  支持孔
１０６  軸受の直線部
１０７  支持孔の平坦面
１０８  搬送ベース
１０９  圧縮コイルばね
１１０  従動ローラの回転軸と軸受の接触面
１１１  軸受のエッジ
【図１】
2014201387.tif 000003
【図２】
2014201387.tif 000004
【図３】
2014201387.tif 000005
【図４】
2014201387.tif 000006
【図５】
2014201387.tif 000007
【図６】
2014201387.tif 000008
【図７】
2014201387.tif 000009
【図８】
2014201387.tif 000010